(57)【特許請求の範囲】
【請求項１】
両側端面に断面横向きＵ字状の凹溝を設けた複数のデッキ材を所定の間隔で敷設して形成されるデッキ床の各デッキ材間の目地に挿入する目地塞ぎ材であって、
上記目地に略等しい幅の天板部の両端を折曲して垂下部を垂下させた逆さＵ字状の断面を有して延長した弾性材料からなる本体部と、
上記両垂下部の先端付近においてそれぞれ外側方かつ下方に傾斜して突出し、上記目地への挿入時に内側方に弾性変形するとともに、挿入後に復帰して上記凹溝の下壁面に当接して本体部の下方への抜け出しを防止する一対の支持翼部と、
上記両垂下部の上端付近においてそれぞれ外側方に突出し、上記目地への挿入時に上記デッキ材の側端面に当接して弾性的に変位しながら上記デッキ材の目地に進入する下傾斜面、および挿入後に復帰し上記凹溝の上壁面に対向して本体部の上方への抜け出しを防止する上抜け止め面を有する一対の返し片部とからなることを特徴とする目地塞ぎ材。
【請求項２】
上記本体部の天板部に、延長方向に沿って断続的に水抜き孔を穿設したことを特徴とする請求項１記載の目地塞ぎ材。
【請求項３】
上記本体部の垂下部の下部および上記支持翼部が切り欠かれ、上記デッキ材と根太材とを固定し及び／又は上記デッキ材間の目地を保持する固定具に載置される切欠き部を設けたことを特徴とする請求項１記載の目地塞ぎ材。
【請求項４】
両側端面に断面横向きＵ字状の凹溝を有して、所定の間隔を設けて敷設される複数のデッキ材と、
このデッキ材間の目地に挿入される請求項１から３のいずれかに記載された複数の目地塞ぎ材とからなり、
上記本体部が上記目地に収容されて上記本体部の上端が上記デッキ材の上面よりもやや下方に位置し、上記支持翼部が上記凹溝の下壁面に当接し、上記返し片部の上抜け止め面が凹溝の上壁面に対向するとともに、
上記目地には複数の上記目地塞ぎ材が延長方向に連接して挿入され、かつ、連接する目地塞ぎ材の相互間には排水可能な間隙を設けたことを特徴とする目地塞ぎ材の取り付け構造。
【発明の詳細な説明】
【技術分野】
【０００１】
本発明は、複数のデッキ材を用いて形成されるデッキ床において、各デッキ材の間の目地に挿入される目地塞ぎ材に関する。
【背景技術】
【０００２】
屋外において、スラブ面上に根太材を並列に配置し、この根太材上にデッキ材を敷設して化粧床面を形成するデッキ床には、木材等からなるデッキ材の膨張に耐えられるように、さらには、デッキ床下の湿気を逃がすために、各デッキ材の間に幅６ｍｍほどの間隙（目地）を設けたものがあった。
しかし、使用者がコインやカードを落とした際には、この目地からデッキ床の下に落下することがあった。また、幼児などが目地に指を挿入して怪我をすることもあった。
【０００３】
そのため、近年では、デッキ材の両側面に凹溝を設け、この凹溝にメッシュやパンチングメタルを挿入することでデッキ床の目地を塞いでいた。
また、この目地を塞ぐための目地塞ぎ材として、特許文献１には、目地を跨いでデッキ材の上面に被着される天板と、この天板の下面略中央から突設された挿入部と、この挿入部から側方に延びてデッキ材の端面に圧着するシール片とが一体に成形された目地塞ぎ材が記載されている。
【０００４】
また、特許文献２〜４には、デッキ材を根太材に取り付けるためにデッキ材上面に形成されたビス止め用溝を覆うための溝カバーが記載されており、特許文献２，３には、断面を逆さＵ字状に形成されたものが記載されている。
【先行技術文献】
【特許文献】
【０００５】
【特許文献１】特開平８−２７００９３号公報
【特許文献２】特開平１１−６１９７７号公報
【特許文献３】特開２００１−２７０３８号公報
【特許文献４】実開昭５９−１２６０４２号公報
【０００６】
しかし、従来のメッシュやパンチングメタル、目地塞ぎ材の多くは、デッキ床の施工時にデッキ材に挟みこんで目地に取り付ける必要があり、デッキ床の施工後には挿入することができなかった。また、これらを一度取り付けると、デッキ床を解体せずに取り外すことができなかった。
特許文献１の目地塞ぎ材は、デッキ床の施工後でも脱着が可能であったが、指で持ち上げて取り外すことができるため、いたずらや強風によって容易に目地から外れてしまうという問題があった。
【発明の概要】
【発明が解決しようとする課題】
【０００７】
本発明は上記問題点を解決するためになされたものであり、デッキ床の施工後でも容易に取り付けることができ、いたずらや強風では外れにくく、補修または交換の際には工具を用いて容易に取り外すことができる目地塞ぎ材を提供することを課題とする。
【課題を解決するための手段】
【０００８】
本発明において、上記課題が解決される手段は以下の通りである。
本発明は、両側端面に断面横向きＵ字状の凹溝を設けた複数のデッキ材を所定の間隔で敷設して形成されるデッキ床の各デッキ材間の目地に挿入する目地塞ぎ材であって、上記目地に略等しい幅の天板部の両端を折曲して垂下部を垂下させた逆さＵ字状の断面を有して延長した弾性材料からなる本体部と、上記両垂下部の先端付近においてそれぞれ外側方かつ下方に傾斜して突出し、上記目地への挿入時に内側方に弾性変形するとともに、挿入後に復帰して上記凹溝の下壁面に当接して本体部の下方への抜け出しを防止する一対の支持翼部と、上記両垂下部の上端付近においてそれぞれ外側方に突出し、上記目地への挿入時に上記デッキ材の側端面に当接して弾性的に変位しながら上記デッキ材の目地に進入する下傾斜面、および挿入後に復帰し上記凹溝の上壁面に対向して本体部の上方への抜け出しを防止する上抜け止め面を有する一対の返し片部とからなることを特徴とする。
【０００９】
また、上記本体部の天板部に、延長方向に沿って断続的に水抜き孔を穿設したことを特徴とする。
【００１０】
さらに、上記本体部の垂下部の下部および上記支持翼部が切り欠かれ、上記デッキ材と根太材とを固定し及び／又は上記デッキ材間の目地を保持する固定具に載置される切欠き部を設けたことを特徴とする。
【００１１】
また、本発明の目地塞ぎ材の取り付け構造は、両側端面に断面横向きＵ字状の凹溝を有して、所定の間隔を設けて敷設される複数のデッキ材と、このデッキ材間の目地に挿入される複数の上記目地塞ぎ材とからなり、上記本体部が上記目地に収容されて上記本体部の上端が上記デッキ材の上面よりもやや下方に位置し、上記支持翼部が上記凹溝の下壁面に当接し、上記返し片部の上抜け止め面が凹溝の上壁面に対向するとともに、上記目地には複数の上記目地塞ぎ材が延長方向に連接して挿入され、かつ、連接する目地塞ぎ材の相互間には排水可能な間隙を設けたことを特徴とする。
【発明の効果】
【００１２】
本発明によれば、上記目地に略等しい幅の天板部の両端を折曲して垂下部を垂下させた逆さＵ字状の断面を有して延長した弾性材料からなる本体部と、上記両垂下部の先端付近においてそれぞれ外側方かつ下方に傾斜して突出し、上記目地への挿入時に内側方に弾性変形するとともに、挿入後に復帰して上記凹溝の下壁面に当接して本体部の下方への抜け出しを防止する一対の支持翼部とを有することにより、デッキ床の施工後でも、両支持翼部を指で摘んで支持翼部および垂下部を幅方向中央に押圧して弾性変形させ、目地の上方から容易に挿入することができる。挿入後は支持翼部が復帰してデッキ材の凹溝の下壁面に当接するため、目地塞ぎ材が目地より下方に脱落することがない。
また、上記両垂下部の上端付近においてそれぞれ外側方に突出し、上記目地への挿入時に上記デッキ材の側端面に当接して弾性的に変位しながら上記デッキ材の目地に進入する下傾斜面、および挿入後に復帰し上記凹溝の上壁面に対向して本体部の上方への抜け出しを防止する上抜け止め面を有する一対の返し片部を有することにより、デッキ床の施工後にも容易に挿入することができ、取り付け後には上方への抜け出しを防止することができる。これにより、いたずらや強風で外れにくくなるとともに、補修や交換の際には、工具等を使用してデッキ床を解体することなく容易に取り外すことができる。
【００１３】
さらに、上記本体部の天板部に、延長方向に沿って断続的に水抜き孔を穿設したことにより、デッキ床に降った雨水等が、デッキ材の上面より低位の本体部上面に集中し、水抜き孔から排水されるので、デッキ床の目地の排水性を向上させることができる。
【００１４】
また、上記本体部の垂下部の下部および上記支持翼部が切り欠かれ、上記デッキ材と根太材とを固定し及び／又は上記デッキ材間の目地を保持する固定具に載置される切欠き部を設けたことにより、この固定具と切欠き部とを合致させて、固定具に載置しても目地塞ぎ材が目地からはみ出さないように取り付けることができる。
【００１５】
さらに、上記本体部の上端が上記デッキ材の上面よりもやや下方に位置するとともに、上記目地には複数の上記目地塞ぎ材が延長方向に連接して挿入され、かつ、連接する目地塞ぎ材の相互間には排水可能な間隙を設けたことにより、デッキ床に降った雨水等が、デッキ材の上面より低位の本体部上面に集中し、目地塞ぎ材の間に設けた間隙から排水されるので、デッキ床の目地の排水性を向上させることができる。また、いたずらや強風で目地から外れにくくなるとともに、補修や交換の際には、工具等を使用してデッキ床を解体することなく容易に取り外すことができる。
【図面の簡単な説明】
【００１６】
【図１】本発明の実施形態に係る目地塞ぎ材を取り付けたデッキ床の斜視説明図である。
【図２】同目地塞ぎ材の取り付け構造を示す横断面説明図である。
【図３】同目地塞ぎ材を示す図であり、（ａ）は斜視図、（ｂ）は側方図、（ｃ）は部分拡大側方図である。
【図４】デッキ床に用いるデッキ材の斜視図である。
【図５】同目地塞ぎ材の取り付け前のデッキ床の正面説明図である。
【図６】同目地塞ぎ材を取り付けたデッキ床を示す図であり、（ａ）は部分縦断面説明図、（ｂ）は部分横断面説明図である。
【発明を実施するための形態】
【００１７】
以下、本発明の実施形態に係る目地塞ぎ材について説明する。
図１は、この実施形態に係る目地塞ぎ材１を用いたデッキ床３の説明図である。
この目地塞ぎ材１は、屋外に複数のデッキ材２を所定の間隔で敷設して形成されるデッキ床３において、各デッキ材２の間に設けられる筋状の隙間である目地４を塞ぐために挿入されるものであり、図２に示す断面を有し、合成樹脂等の弾性材料を押出し成形してなる部材である。弾性材料は、後述する目地４へ挿入する際に変形および復帰が可能な弾性を有していれば、その種類は限定されない。
デッキ床３に用いられるデッキ材２としては、図４のように、両側端面に断面が横向きＵ字状の凹溝２ａを設けたものが用いられる。
【００１８】
図２、図３に示すように、目地塞ぎ材１は、断面逆さＵ字状の本体部５と、この本体部５から外側方に突出するそれぞれ一対の支持翼部６および返し片部７とからなる。
本体部５は、平板状に形成した天板部５ａと、この天板部５ａの両端を折曲して垂下させた垂直な垂下部５ｂとからなる断面逆さＵ字状の部材に形成されている。図２に示すように、天板部５ａの幅は上記目地４の幅に略等しくわずかに小さく設定されているため、目地塞ぎ材１を目地４に挿し込むことができ、かつ、目地４からカードやコインなどの小物が落下することを防止できる。ここで、目地４の幅とは、隣接するデッキ材２、２の側端面のうち、凹溝２ａを形成していない箇所同士の距離をいう。
なお、本体部５は弾性材料からなるため、変形させて目地４に挿入できる範囲で、天板部５ａの幅を上記目地４の幅よりわずかに大きく設定してもよい。
【００１９】
支持翼部６は、図２、図３に示すように、本体部５に一体に形成された板状の部分であり、両垂下部５ｂ、５ｂの先端付近で外側方かつ下方に傾斜して突出して、先端を丸取りされている。両支持翼部６、６は、左右対称になるように角度および長さを揃えて突設する。また、両支持翼部６、６の先端の間の距離は、デッキ床３の目地４の幅よりも大きく、デッキ材２、２の凹溝２ａ、２ａを形成した箇所同士の幅よりも小さく設定されている（図２）。
返し片部７も、本体部５に一体に形成され、両垂下部５ｂ、５ｂの上端付近から外側方に突出している。この返し片部７は、垂下部５ｂから断面三角形状に突出しており、上面を水平な上抜け止め面７ａとして形成し、下面を上方に傾斜した下傾斜面７ｂとして形成する。上抜け止め面７ａと下傾斜面７ｂとの接続する頂部は、丸取りされて滑らかに接続している。
【００２０】
図１、図３に示すように、目地塞ぎ材１の延長方向両端では、垂下部５ｂの下部と支持翼部６とが下方に切り欠かれている。この切欠き部８の延長方向の長さは後述する固定具１２の延長方向の長さの略二分の一であり、この切欠き部８の高さは固定具１２の高さに略等しい。
【００２１】
以下、この目地塞ぎ材１を用いたデッキ床３の施工方法について説明する。
このデッキ床３は、図１、図６に示すように、スラブ面９上に、方形のデッキ材２を複数敷設して形成される。図２、図４に示すように、このデッキ材２の両側端面の高さ略中央には断面Ｕ字状の凹溝２ａが設けられており、また、両側端面の下端も所定の幅で切り欠かれたデッキ材切欠き部２ｂを設けている。デッキ材２の上面と側端面とは、斜面を介して緩やかに接続されており、目地塞ぎ材１の挿入および取り外しを容易に行えるようになっている。
また、デッキ材２の内部には、軽量化等の必要に応じて空洞２ｃが形成されてもよい。実施形態では、デッキ材２の長手方向に貫通する大小６つの空洞２ｃが形成されている。
【００２２】
デッキ床３を施工するには、まず、複数の支持脚１０をスラブ面９に直線状に設置する（図１、図６参照）。この支持脚１０は支持ボルト１０ａ、ナット１０ｂ、および受け具１０ｃを有し、ナット１０ｂによって受け具１０ｃの高さを調整できる。高さを調節した受け具１０ｃに根太材１１を載置して、根太材１１を所定の高さに保持固定することができる。このようにして、複数の根太材１１を所定の間隔で並列に配置する。
次に、デッキ材２を根太材１１上に、互いの長手方向を直交させて敷設していく（図１）。このとき、図５に示すように根太材１１上に固定具１２を配置し、隣接するデッキ材２、２の間に挟んで固定することで、デッキ材２、２間に目地４が形成され、かつ、デッキ材２が根太材１１から浮き上がらないように固定される。
【００２３】
固定具１２は、アルミニウム合金の押出し成形品を切断して使用するものであり、材料としては、他にステンレス材等の金属或いは合成樹脂材が用いられる。
この固定具１２は、図５のように、根太材１１の上部に固定される台座部１２ａ、この台座部１２ａから立設された立て板状の接続部１２ｂ、この接続部１２ｂの上部から幅方向両側に形成される水平な水平翼部１２ｃ、この水平翼部１２ｃの一方側の端部から垂直に立設形成される押え翼部１２ｄとからなる。上記押え翼部１２ｄを形成していない水平翼部１２ｃの他端部は、わずかに上方に屈曲した片状に形成されている。水平翼部１２ｃと押え翼部１２ｄとは、合わせて略上向きＬ字状の断面とを形成している。
固定具１２の中央には、固定具１２を上下に貫通するビス孔が延長方向に並んで２箇所形成される。
【００２４】
固定具１２によってデッキ材２を固定するには、まず敷設したデッキ材２の側方から固定具１２を押し付け、根太材１１上に固定する。このとき、固定具１２の押え翼部１２ｄがデッキ材２の側端面の凹溝２ａの最深部に当接し、水平翼部１２ｃが凹溝２ａの下壁面に当接し、台座部１２ａがデッキ材切欠き部２ｂに嵌め込まれる。
次いで、固定具１２の反対側から他のデッキ材２を敷設し、水平翼部１２ｃを他のデッキ材２の凹溝２ａの下壁面に当接させ、台座部１２ａの他端をデッキ材切り欠き部２ｂに嵌め込む（図５）。
【００２５】
この作業を繰り返してデッキ材２を敷設することにより、デッキ床３が構成される（図１）。
これにより、図５に示すように、隣接する２枚のデッキ材２、２は、凹溝２ａの直下の相対的に突出した部分を固定具１２の台座部１２ａと水平翼部１２ｃとに挟まれて上下移動を阻止され、また、固定具１２の押さえ翼部１２ｄと接続部１２ｂとによって幅方向の移動が阻止される。両デッキ材２、２の間には、接続部１２ｂと同じ幅（ここでは６ｍｍ程度）の目地４が形成される。
次いで、目地４の上方から回転工具を差し込み、固定具１２のビス孔にビス１５を嵌入して、固定具１２を根太材１１上に固定する。ここで用いるビス１５はセルフドリリング可能なものであり根太材１１に自ら孔を穿設しながら螺入する。固定具１２は、このように両側を２枚のデッキ材２、２で挟み込んでからビス１５で固定するほか、一方のデッキ材２に当接させた状態でビス１５を用いて根太材１１に固定し、その後に反対側から他方のデッキ材２を嵌め込んでもよい。
【００２６】
この目地塞ぎ材１は、デッキ床３を施工した後にも目地４に取り付けることができる。
１条の目地４において、１つの目地塞ぎ材１は、根太材１１上に設置されて直列に並ぶ２つの固定具１２、１２の間に取り付けられる（図１参照）。そのため、目地塞ぎ材１の延長方向の長さは、並列に配置された根太材１１の相互の中央線の距離に略等しく設定される。また、図３、図６に示すように、目地塞ぎ材１が固定具１２に干渉して目地４上にはみ出すことがないように、目地塞ぎ材１にはその延長方向両端から、固定具１２の延長方向長さの二分の一の長さ、固定具１２の下端から水平翼部１２ｃ上面と同じ高さで切り欠かれた切欠き部８を設けている。
【００２７】
デッキ床３の上方からこの目地塞ぎ材１を目地４に挿入するには、図２に示すように、垂下部５ｂ、５ｂの先端を下方に向け、両支持翼部６、６を外側方から指で摘んで押圧し、支持翼部６、６および垂下部５ｂ、５ｂを幅方向中央へ弾性変形させる。その状態で垂下部５ｂの先端、支持翼部６の順に目地４に挿入していく。
支持翼部６まで挿入して指を離すと、垂下部５ｂおよび支持翼部６はもとの形状に復帰しようとしてデッキ材２の側端面に当接しながら目地４に進入し、凹溝２ａまで進入すると略完全にもとの形状に復帰する。
【００２８】
次いで、返し片部７をデッキ材２の上面の高さまで下降させて押し込むと、下傾斜面７ｂがデッキ材２の側端面に当接して垂下部５ｂを幅方向中央へ弾性変形させ、返し片部７も幅方向中央へ変位しながら目地４に進入する。
返し片部７が凹溝２ａまで進入すると、垂下部５ｂおよび返し片部７はもとの形状に復帰して、目地塞ぎ材１の目地４への挿入が完了する（図２）。同様にして複数の目地塞ぎ材１を延長方向に連接させて目地４に挿入し、１条の目地４を閉鎖する（図１）。
【００２９】
このとき、図２に示すように、両支持翼部６、６の先端間の距離が目地４の幅よりも大きいため、支持翼部６はデッキ材の凹溝２ａの下壁面に当接して、本体部５が目地４の下方へ脱落しないよう支持する。
また、両垂下部５ｂ、５ｂがその上端付近と下端付近とにおいて、それぞれデッキ材２、２の側端面のうち凹溝２ａを形成していない部分に接して、幅方向の移動および傾きを阻止している。
また、返し片部７が復帰して凹溝２ａ内に位置し、上抜け止め面７ａが凹溝２ａの上壁面に対向して、目地塞ぎ材１の上方への抜けを防止する。
【００３０】
図２に示すように、目地塞ぎ材１の支持翼部６の先端から天板部５ａ上面までの高さは、デッキ材２の凹溝２ａの下壁面から凹溝２ａの上壁面までの高さよりも高く、凹溝２ａの下壁面からデッキ材上面までの高さよりも低く設定されている。そのため、目地４に挿入後、目地塞ぎ材１（本体部５）の上端がデッキ材２の上面よりもやや下方に位置している。天板部５ａの幅が目地４の幅に略等しいため目地４を閉鎖することができるとともに、目地塞ぎ材１の上端がデッキ材２の上面よりもやや下方に位置するためいたずらや強風で目地塞ぎ材１が容易に抜けることがなく、しかも、デッキ床３の雨水が自然に目地４に流れ、排水される。
【００３１】
図６に示すように、目地４のうち固定具１２を設けた箇所では、目地塞ぎ材１の切欠き部８が固定具１２に合致し、垂下部５ｂの上部および天板部５ａが固定具１２の水平翼部１２ｃ上に位置する。切欠き部８を形成した部分では支持翼部６が切り欠かれているが、下方に固定具１２の水平翼部１２ｃが位置しているため、変形して過度に傾いてしまうことがない。
また、図６（ａ）に示すように、固定具１２上では２つの目地塞ぎ材１、１が延長方向に連接して、両者の間にはわずかな隙間が形成され、目地４に集まった雨水等を排水できるようになっている。
【００３２】
この目地塞ぎ材１は、デッキ床３を解体することなく容易に取り外すことができる。
この目地塞ぎ材１を取り外すには、延長方向両端部に形成された他の目地塞ぎ材１との隙間に、ドライバー等の工具を差し込み、天板部５ａの下面に押し当てて持ち上げる。このときに、返し片部７の上抜け止め面７ａが凹溝２ａの上壁面に当接して抜けにくくなっているが、垂下部５ｂが幅方向中央に弾性変形して、返し片部７を通過させることができる。その後、支持翼部６も凹溝２ａの上壁面に当接するが、支持翼部６は下方に傾斜しているため、容易に幅方向中央へ弾性変形して通過する。
【００３３】
この実施形態に係る目地塞ぎ材１では、デッキ床３の施工後でも、支持翼部６および垂下部５ｂを指で押圧して幅方向中央に弾性変形させるとともに、返し片部７の下傾斜面７ｂをデッキ材２の側端面に当接させて幅方向中央に弾性的に変位させ、容易に目地４に挿入して取り付けることができる。
図２に示すように、目地４に取り付けられると、弾性復帰した支持翼部６がデッキ材２の凹溝２ａの下壁面に当接して本体部５が目地４から落下しないように支持する。また、返し片部７の上抜け止め面７ａが凹溝２ａの上壁面に対向するとともに本体部５の上端がデッキ材２の上面よりもやや下方に位置するため、目地塞ぎ材１が抜け止めされ、いたずらや強風によって上方に外れにくくすることができる。
また、本体部５および支持翼部６が弾性変形可能であるため、目地４に取り付けた目地塞ぎ材１に、延長方向両端からドライバー等の工具を差し込み、天板部５ａの下面に押し当てて持ち上げることで、デッキ床３を解体することなく容易に取り外すことができる。
【００３４】
目地塞ぎ材１に、垂下部５ｂの下部および支持翼部６を切り欠いた切欠き部８を設けたことにより、デッキ材２と根太材１１とを固定し及び／又はデッキ材２間の目地４を保持する固定具１２を用いたデッキ床３でも、この固定具１２に切欠き部８を合致させて、固定具１２に載置しても目地塞ぎ材１が目地４からはみ出さないように取り付けることができる（図６）。
切欠き部８を目地塞ぎ材１の延長方向両端に設ける必要はなく、目地塞ぎ材１の延長方向中央付近を下方に切り欠いて切欠き部を設け、この切欠き部が固定具１２と合致するように取り付けてもよい。また、デッキ材２を根太材１１に固定するのに固定具１２を用いない場合には、目地塞ぎ材１に切欠き部８を設けなくてもよい。
【００３５】
連接する目地塞ぎ材１、１の隙間がほとんどない場合や目地塞ぎ材１が延長方向に長い場合など、目地４からの排水性が悪いときには、天板部５ａに、延長方向に沿って断続的に水抜き孔を穿設して排水性を向上させてもよい。１つの水抜き孔の大きさは、そこからコインやカードが落下しないように充分小さく設定する。
【００３６】
上記のように、目地塞ぎ材１はデッキ床３を施行した後でも容易に脱着することが可能であるが、デッキ床３を施行する際に取り付けることも可能である。この場合には、デッキ材２の側端面に固定具１２を取り付ける際に、直列に配した固定具１２、１２の間に目地塞ぎ材１を橋架して、反対側から他のデッキ材２で固定具１２および目地塞ぎ材１を挟み込む（図１参照）。
【符号の説明】
【００３７】
１  目地塞ぎ材
２  デッキ材
２ａ  凹溝
３  デッキ床
４  目地
５  本体部
５ａ  天板部
５ｂ  垂下部
６  支持翼部
７  返し片部
７ａ  上抜け止め面
７ｂ  下傾斜面
８  切欠き部
１１  根太材
１２  固定具
１２ａ  台座部
１２ｂ  接続部
１２ｃ  水平翼部
１２ｄ  押え翼部
【図１】
0005551530.tif 000002
【図２】
0005551530.tif 000003
【図３】
0005551530.tif 000004
【図４】
0005551530.tif 000005
【図５】
0005551530.tif 000006
【図６】
0005551530.tif 000007